(57)【要約】【課題】電源オフ状態の記録装置に対し、簡単にインクタンクの交換を行う。【解決手段】低消費電力状態において、インクタンク交換のための操作に応じて、前記通常の消費電力状態に移行した後、インクタンクをインクタンク交換位置に移動させる制御手段を備える。【選択図】      図１
2004195727.tif 000002
【特許請求の範囲】
【請求項１】
低消費電力状態と通常の消費電力状態を遷移可能な記録装置であって、
前記低消費電力状態において、インクタンク交換のための操作に応じて、前記通常の消費電力状態に移行した後、インクタンクをインクタンク交換位置に移動させる制御手段を備えることを特徴とする記録装置。
【発明の詳細な説明】
【０００１】
【発明の属する技術分野】
本発明は、インクタンク交換のための操作により消費電力の制御を切り替える記録装置に関する。
【０００２】
【従来の技術】
従来の記録装置（印刷装置）においては、電源オフ状態においてインクタンク交換を実施するには、印刷装置の電源スイッチ操作を行った後に、インクタンク交換のためのアクセスカバーを操作する（２アクション）必要があった。これは、印刷データを受信することにより自動的に低消費電力モードを解除し、電源オン状態にする自動電源オン機能を持った印刷装置においても、同じように２アクションの操作によりインクタンク交換を行う必要があった。
【０００３】
【発明が解決しようとする課題】
このように、ユーザーはインクタンク交換のために、前もって必ず電源スイッチ操作を行う必要があった。
【０００４】
本発明では、電源オフ状態中にインクタンク交換のためのアクセスカバー操作があった場合に、印刷装置の電源をオン状態にしインクタンク交換位置にインクタンクさせることにより、１アクションでのインクタンク交換を可能とし、ユーザの操作性を向上させるとともに、低消費電力モードと合わせることによりエネルギー環境に配慮した製品を提供することを目的とする。
【０００５】
【課題を解決するための手段】
これらの課題を解決するため、低消費電力状態と通常の消費電力状態を遷移可能な記録装置であって、前記低消費電力状態において、インクタンク交換のための操作に応じて、前記通常の消費電力状態に移行した後、インクタンクをインクタンク交換位置に移動させる制御手段を備える。
【０００６】
【発明の実施の形態】
以下、添付図面に従って本発明に係る実施形態の一例を詳細に説明する。
【０００７】
図１に記録装置（印刷装置、プリンター）の概観を示す。印刷装置１００のカートリッジホルダ１０２には、印刷（記録）カートリッジ１０３が装着され、印刷カートリッジ１０３には、交換可能なインクタンク１０４が装着されている。電源状態に関わらず、フロントアクセスカバー１０１を開くとカートリッジホルダ１０２は、キャリッジモータが動作して、インクタンク交換位置まで移動する。なお、記録動作として、このカートリッジホルダが左右に走査して、被記録媒体に画像を記録する。
【０００８】
図２および図３は、本発明に関わるシステムのブロック図である。記録装置（印刷装置）２０１は、アクセスカバースイッチ２０１−ａの信号をＳＷコントロール部２０７のカバースイッチ処理回路２０７−ａで処理し、ＣＰＵ２０１の入力ポート２０１−ａおよび割り込みポート２０１−ｂに接続されている。電源オン状態および低消費電力モードが解除されている場合には、ＣＰＵ２０１の割り込みポート２０１−ｂ  の割り込み設定を禁止し、入力ポート２０１−ａでの読み込みを許可する。カバースイッチの状態は、入力ポート２０１−ａを一定周期にてモニタすることにより検出する。
【０００９】
一方、電源オフ状態や低消費電力モードでは、ＣＰＵを停止状態（停止モード）とするため、入力ポートでの検出が出来ない。このため、アクセスカバースイッチ処理回路２０７−ａに接続されたＣＰＵ２０１の割り込みポート２０７−ｂを割り込み許可状態にして、割り込みによりアクセスカバーの状態変化を検出する。
【００１０】
図４に電源オン状態、低消費電力状態オフ（通常消費電力状態）でのアクセスカバーオープン処理のフローチャートを示す。アクセスカバーの状態は、タイマ処理（Ｓ１００）にて定期的にモニタし（例えば１００ミリ秒周期）。前回のアクセスカバー状態を確認する（Ｓ１０１）。カバーオープン状態であった場合には、現在のアクセスカバー状態をチェック（Ｓ１０４）し、前回の状態と同じカバーオープン状態であった場合には、タイマ処理を終了（Ｓ１０６）する。
【００１１】
また、カバークローズ状態の場合には、カバークローズイベントフラグを設定し（Ｓ１０５）、タイマ処理を終了する（Ｓ１０６）。前回のカバー状態がクローズであった場合には、現在のアクセスカバー状態をチェックする（Ｓ１０２）。現在のアクセスカバー状態が前回と同じカバークローズ状態の場合には、タイマ処理を終了する（Ｓ１０６）。現在のアクセスカバー状態がオープンである場合には、カバーオープンイベントフラグ設定し（Ｓ１０３）、タイマ処理を終了する（Ｓ１０６）。アクセスカバーオープンイベントフラグが設定されたので、電源オン状態、すなわち低消費電力モードオフ状態（通常消費電力状態）でのアクセスカバーオープン処理が起動する（Ｓ１０７）。カバーオープン処理を実施する（Ｓ１０８）。カバーオープン処理では、カートリッジホルダをインクタンク交換位置に移動する。
【００１２】
図５に電源オフ状態、あるいは低消費電力状態でのアクセスカバーオープン処理のフローチャートを示す。電源オフ状態、あるいは低消費電力状態であるので、ＣＰＵは停止している。
【００１３】
アクセスカバーをオープンすると割り込み信号がＣＰＵの割り込みポートに入る。そして、アクセスカバー割り込み処理が起動する（Ｓ２００）。カバースイッチ割り込み処理では、停止しているＣＰＵの停止モード（停止状態）を解除し、起動する（Ｓ２０１）。そして、アクセスカバーオープンイベントフラグを設定し（Ｓ２０２）、割り込み処理を終了する（Ｓ２０３）。アクセスカバーオープンイベントフラグが設定されたので、電源オフ状態、低消費電力モードオン状態でのアクセスカバーオープン処理が起動する（Ｓ２０４）。
【００１４】
まず、印刷装置の電源オン処理を実行する（Ｓ２０５）。次に、カバーオープン処理を実施する（Ｓ２０６）。カバーオープン処理では、カートリッジホルダをインクタンク交換位置に移動する。
【００１５】
図６に電源オン処理（Ａ）、および電源オフ処理（Ｂ）でのフローチャート図を示す。電源オン処理（Ｓ３００）では、アクセスカバーオープン割り込み禁止設定を実施する（Ｓ３０１）。次に、カバーオープンスイッチ状態を入力ポートで入力できるように、カバーオープン入力ポート設定を実施する（Ｓ３０２）。そして印刷装置の起動処理を実施する（Ｓ３０４）。
【００１６】
また、電源オフ処理（Ｓ４００）では、カバーオープンスイッチ状態を入力ポート設定を解除する（Ｓ４０１）。次に、アクセスカバーオープン割り込み許可設定を実施し（Ｓ４０２）、ＣＰＵ停止状態でもカバースイッチを検出できるように設定する。そして、印刷装置終了処理（Ｓ４０３）にて、印刷装置の機械的な終了処理を行い、ＣＰＵを停止して低消費電力モードに移行する。
【００１７】
なお、電源オン状態において、インクタンク交換アクセスカバーを閉じた後、所定時間（例えば１０分間）連続して印刷装置を使用しなかった場合には、電源オフ状態あるいは低消費電力モードに移行する。
【００１８】
以上のように、本発明の実施態様の例を以下に列挙する。
【００１９】
［実施態様１］
低消費電力状態と通常の消費電力状態を遷移可能な記録装置であって、前記低消費電力状態において、インクタンク交換のための操作に応じて、前記通常の消費電力状態に移行した後、インクタンクをインクタンク交換位置に移動させる制御手段を備えることを特徴とする記録装置。
【００２０】
［実施態様２］
前記操作は、インクタンク交換アクセスカバーの開くことを特徴とする実施態様１に記載の記録装置。
【００２１】
【発明の効果】
以上説明したように本発明によれば、インクタンク交換のためのアクセスカバー操作があった場合に、印刷装置の電源をオフ状態であれば、オン状態にしてからインクタンク交換できるように動作させることにより、ユーザーの操作性を向上させるとともに、低消費電力モードと合わせることによりエネルギー環境に配慮した製品を提供できる。
【図面の簡単な説明】
【図１】記録装置
【図２】記録装置のブロック図
【図３】アクセスカバースイッチブロック図
【図４】電源オン状態／低消費電力オフでのアクセスカバーオープン処理のフローチャート
【図５】電源オフ状態／低消費電力オンでのアクセスカバーオープン処理のフローチャート
【図６】電源オン／オフ処理のフローチャート
【符号の説明】
１００、２００  記録（印刷）装置
１０１  フロントカバー
１０２  カートリッジホルダ
１０３  印刷カートリッジ
１０４  インクタンク
２０１  ＣＰＵ
２０１−ａ  入力ポート
２０１−ｂ  割り込みポート
２０２  ＲＯＭ
２０３  ＲＡＭ
２０４  受信バッファ
２０５  機械コントロール部
２０６  センサ／ＳＷコントロール部
２０７  表示素子コントロール部
２０７−ａ  アクセスカバースイッチ処理回路
２０８  印刷ヘッドコントロール部
２０９  印刷装置機械部
２１０  表示部
２１１  センサ
２１２  スイッチ（ＳＷ）
２１２−ａ  アクセスカバースイッチ
３００  印刷カートリッジ
３０１  印刷ヘッド
４００  ホスト装置
【図１】
2004195727.tif 000003
【図２】
2004195727.tif 000004
【図３】
2004195727.tif 000005
【図４】
2004195727.tif 000006
【図５】
2004195727.tif 000007
【図６】
2004195727.tif 000008